(57)【要約】【課題】表示されたページ画像の一部を簡単な操作でデータファイルのブックマークとして登録可能な情報表示装置を提供する。【解決手段】データファイルに応じた画像をページ単位で表示部に表示するページ画像表示処理手段を備えた情報表示装置において、前記ページ画像表示処理手段により前記表示部にページ単位で表示したページ画像の一部の領域を前記データファイルから抽出する領域画像抽出手段と、前記領域画像抽出手段により抽出した各領域の画像を並べて前記表示部に一覧表示する領域画像一覧表示部と、前記表示部に一覧表示した前記領域の画像の少なくとも一つを選択する領域画像選択手段と、を備え、前記ページ画像表示処理手段は、前記領域画像選択手段により選択した領域の画像を含むページ画像を前記表示部に表示する構成とした。【選択図】図６
2010224927.tif 000002
【特許請求の範囲】
【請求項１】
データファイルに応じた画像をページ単位で表示部に表示するページ画像表示処理手段を備えた情報表示装置において、
前記ページ画像表示処理手段により前記表示部にページ単位で表示したページ画像の一部の領域を前記データファイルから抽出する領域画像抽出手段と、
前記領域画像抽出手段により抽出した各領域の画像を並べて前記表示部に一覧表示する領域画像一覧表示手段と、
前記表示部に一覧表示した前記領域の画像の少なくとも一つを選択する領域画像選択手段と、を備え、
前記ページ画像表示処理手段は、前記領域画像選択手段により選択した領域の画像を含むページ画像を前記表示部に表示することを特徴とする情報表示装置。
【請求項２】
前記領域画像抽出手段は、前記表示部に表示したページ画像内の複数領域のそれぞれを前記一部の領域として抽出可能としたことを特徴とする請求項１に記載の情報表示装置。
【請求項３】
前記領域画像抽出手段は、前記表示部に表示したページ画像であって前記データファイル内の異なるページ画像でそれぞれ前記一部の領域を抽出可能としたことを特徴とする請求項１又は２に記載の情報表示装置。
【請求項４】
前記ページ画像表示処理手段は、前記表示部に表示するページ画像のうち前記領域画像抽出手段の抽出対象である前記一部の領域を強調表示することを特徴とする請求項１〜３のいずれか１項に記載の情報表示装置。
【請求項５】
前記一部の領域を指定する複数の指定操作ボタンを、前記表示部の表示領域を複数の領域に分割して形成される複数の分割領域のそれぞれに対応させて設け、
前記領域画像抽出手段は、前記複数の指定操作ボタンのうち操作された指定操作ボタンに対応する分割領域を前記一部の領域として抽出し、
前記領域画像選択手段は、前記複数の指定操作ボタンのうち操作された指定操作ボタンに対応する分割領域を前記一部の領域として選択することを特徴とする請求項１〜４のいずれか１項に記載の情報表示装置。
【発明の詳細な説明】
【技術分野】
【０００１】
本発明は、情報表示装置に関し、詳しくは、データファイルに応じた画像をページ単位で表示することができる情報表示装置に関する。
【背景技術】
【０００２】
従来、記憶手段に記憶されているデータファイルに応じた画像を表示させる電子ブック等の情報表示装置が知られている。
【０００３】
かかる情報表示装置において、データファイルが例えば複数ページの集合である文書ファイルであった場合、かかるデータファイルの中から、所望の内容を含むページを簡単に表示できると便利である。
【０００４】
そこで、例えば、データファイルを文書ファイルとした場合、複数単位の集合として構成される文書を、この文書の単位に含まれる内容を表象するための識別子と連結して管理し、文書の所望の単位を検索して表示するとき、文書の単位と識別子とを目視可能に連関させて表示すると共に、選択された識別子に応ずる文書の単位を最上層の表示画像として表示する方法が提案されている（例えば、特許文献１参照）。
【０００５】
すなわち、文書を構成する単位をページに置き換えた場合、該当ページと、このページにしてユーザにより入力されたコメントが付された識別子とを関連付けて記憶しておき、この識別子をあたかもブックマーク（栞）のように管理して、その画像若しくはリストから目的の識別子（ブックマーク）を選択することで、所望の該当ページを表示させるものである。
【先行技術文献】
【特許文献】
【０００６】
【特許文献１】特開平５−１６５５９５号公報
【発明の概要】
【発明が解決しようとする課題】
【０００７】
しかしながら、上記した従来技術では、ページに関するコメントをユーザが手入力する必要があるため、手間がかかる上にコメント入力デバイスとして例えばキーボードなどが別途必要になる。また、識別子を一覧表示させたときに、実際に表示させたい文書に関連付けられた識別子であるか判断し難い。
【０００８】
本発明は、上述した課題を解決するために、簡単な操作で表示されたページ画像の一部をデータファイルのブックマーク（栞）として登録可能な情報表示装置を提供することを目的としている。
【課題を解決するための手段】
【０００９】
上記目的を達成するために、請求項１に係る発明は、データファイルに応じた画像をページ単位で表示部に表示するページ画像表示処理手段を備えた情報表示装置において、前記ページ画像表示処理手段により前記表示部にページ単位で表示したページ画像の一部の領域を前記データファイルから抽出する領域画像抽出手段と、前記領域画像抽出手段により抽出した各領域の画像を並べて前記表示部に一覧表示する領域画像一覧表示手段と、前記表示部に一覧表示した前記領域の画像の少なくとも一つを選択する領域画像選択手段と、を備え、前記ページ画像表示処理手段は、前記領域画像選択手段により選択した領域の画像を含むページ画像を前記表示部に表示することとした。
【００１０】
また、請求項２に係る発明は、請求項１に記載の情報表示装置において、前記表示部に表示したページ画像内の複数領域のそれぞれを前記一部の領域として抽出可能としたことを特徴とする。
【００１１】
また、請求項３に係る発明は、請求項１又は２に記載の情報表示装置において、前記領域画像抽出手段は、前記表示部に表示したページ画像であって前記データファイル内の異なるページ画像でそれぞれ前記一部の領域を抽出可能としたことを特徴とする。
【００１２】
また、請求項４に係る発明は、請求項１〜３のいずれか１項に記載の情報表示装置において、前記ページ画像表示処理手段は、前記表示部に表示するページ画像のうち前記領域画像抽出手段の抽出対象である前記一部の領域を強調表示することを特徴とする。
【００１３】
また、請求項５に係る発明は、請求項１〜４のいずれか１項に記載の情報表示装置において、前記一部の領域を指定する複数の指定操作ボタンを、前記表示部の表示領域を複数の領域に分割して形成される複数の分割領域のそれぞれに対応させて設け、前記領域画像抽出手段は、前記複数の指定操作ボタンのうち操作された指定操作ボタンに対応する分割領域を前記一部の領域として抽出し、前記領域画像選択手段は、前記複数の指定操作ボタンのうち操作された指定操作ボタンに対応する分割領域を前記一部の領域として選択することを特徴とする。
【発明の効果】
【００１４】
本発明によれば、表示対象となるデータファイルが例えば複数ページの集合からなる場合でも、所望するページを極めて簡単な操作で表示することができる。
【図面の簡単な説明】
【００１５】
【図１】実施形態に係る情報表示装置の外観図である。
【図２】情報表示装置の機能ブロック図である。
【図３】指定操作ボタンの説明図である。
【図４】情報表示装置の電気的構成を示すブロック図である。
【図５】ドキュメントファイルの一例を示す説明図である。
【図６】ブックマーク登録手順を示す説明図である。
【図７】ブックマーク登録手順を示す説明図である。
【図８】ブックマーク情報のデータ構造を示す説明図である。
【図９】ブックマーク参照手順を示す説明図である。
【図１０】ブックマーク参照手順を示す説明図である。
【図１１】メイン制御処理の流れを示す説明図である。
【図１２】行選択処理の流れを示す説明図である。
【図１３】ページ遷移処理の流れを示す説明図である。
【図１４】ブックマークの登録処理の流れを示す説明図である。
【図１５】ブックマークの参照処理の流れを示す説明図である。
【図１６】その他の制御処理の流れを示す説明図である。
【図１７】ブックマークを複数登録する場合の説明図である。
【図１８】ブックマークを複数登録する場合の説明図である。
【発明を実施するための形態】
【００１６】
以下、本発明の一実施形態を、図面を参照して説明する。
【００１７】
［１．情報表示装置の概要］
先ず、図１〜図３を参照して、本実施形態の情報表示装置１の外観及び主な動作について説明する。なお、本実施形態に係る情報表示装置１は、所謂「電子ブック」として使用することができるものである。
【００１８】
情報表示装置１は、平面視方形状で薄型の装置であり、図１に示すように、その正面には、データファイルに応じた画像を、ページ単位で表示可能とした表示部２が略Ａ４サイズの大きさで設けられている。なお、表示部２に表示されるページ単位の画像を、以下ではページ画像と呼ぶ。
【００１９】
本実施形態における表示部２は、電気的に白黒を反転できる粒子を用いて可変表示を行う電子インク技術を用いたマイクロカプセル型電気泳動ディスプレイモジュール（ＥＰＤ： Electrophoretic Display）を用いている。これは、表示画面は電源が供給されなくても消えることがないという特徴を備えている。なお、ＥＰＤに代えて液晶パネル（ＬＣＤ）で構成することもできる。
【００２０】
なお、本実施形態の情報表示装置１で扱うことができる「データファイル」としては、文字や図形などからなるドキュメントを表示させるためのデータファイル、写真、ＣＧなどのグラフィック画像を表示させるためのデータファイルなどがあるがこれに限られるものではない。なお、以下においては、説明を容易にするためにデータファイルとして文書ファイル（ドキュメントファイル）を例に挙げて説明する。
【００２１】
表示部２の右側には、情報表示装置１の状態を示すＬＥＤ３が配置され、さらには、各種の押下式の操作ボタンを備えた操作部４が配置されている。操作ボタンとしては、電源ボタン５ａ、メニューボタン５ｂ、ドキュメント閉じるボタン５ｃ、拡大ボタン５ｄ、ページ送りボタン５ｆ，５ｇ、決定ボタン５ｈ、さらには本実施形態の要部ともなる複数の指定操作ボタン６が設けられている。この指定操作ボタン６については後に詳述する。
【００２２】
情報表示装置１のユーザは、操作部４を操作して表示部２に表示する文書ファイルの選択、ファイルに応じた画像の表示をページ単位で行うことができ、しかも、本実施形態では、文書ファイルの所望するページにブックマークを付して登録し、ブックマークを用いて登録した文書ファイルの表示などを行うことができる。
【００２３】
また、情報表示装置１の右側面下部には、メモリカード８を挿入するためのメモリカードインタフェース（Ｉ／Ｆ）１６が設けられている。このメモリカード８に様々なカテゴリーの文書ファイルが記憶されており、各文書ファイルはメモリカードＩ／Ｆ１６を介して読み込んで表示部２に表示させることができる。また、メモリカード８には、後述するブックマーク情報を登録することができる。
【００２４】
すなわち、本実施形態に係る情報表示装置１は、図２に示すように、操作部４からの操作信号に応じて表示部２をはじめとする本情報表示装置１の全体の動作制御を行う制御部３０を備えている。
【００２５】
かかる制御部３０は、文書ファイルに応じた画像をページ単位で表示部２に表示するページ画像表示処理手段と、このページ画像表示処理手段により表示部２にページ単位で表示したページ画像の一部の領域を前記文書ファイルから抽出する領域画像抽出手段と、この領域画像抽出手段により抽出した各領域の画像を並べて表示部２に一覧表示する領域画像一覧表示手段と、表示部２に一覧表示した前記領域の画像の少なくとも一つを選択する領域画像選択手段としての機能を担っている。
【００２６】
すなわち、制御部３０により、本情報表示装置１は、表示部２に表示されたページ画像の一部の領域を切り取って後述するＲＯＭ１１などに記憶しておき、この切り取った一部の領域をあたかも「ブックマーク（栞（しおり））」として使用できるようになっている。この「ブックマーク」が複数ある場合、それを一覧表示して、一覧表示した中から所望の「ブックマーク」を選択すれば、その「ブックマーク」となっている領域が含まれる元のページ画像を表示部２に表示させることができるのである。このとき、ブックマークが実際の文書の一部なので、ブックマークから元の文書ファイルであるか否かの判断を即座に行える。なお、この制御部３０については後に詳述する。
【００２７】
操作部４に配設された指定操作ボタン６（６ａ〜６ｍ）は、表示部２に表示されたページ画像の一部の領域をユーザが指定するためのものである。本実施形態では、図３に示すように、表示部２の右側縦縁に沿って列状に設けられており、表示部２の表示領域を縦方向に複数の領域に分割して形成された分割領域（ここでは１３の分割領域）のそれぞれに１対１で対応して割付けられている。
【００２８】
そして、制御部３０が領域画像抽出手段として機能する場合、指定操作ボタン６ａ〜６ｍのうち、操作された指定操作ボタン（６ａ〜６ｍ）に対応する分割領域を、切り取るべき一部の領域として抽出することになる。例えば、図３に示すように、１３行に亘ってテキスト表示されている文書ファイルを表示部２に表示している場合、指定操作ボタン６ｄを押下すると、上から４行目の分割領域に表示された部分が切り取るべき一部の領域として指定され、制御部３０は当該指定領域（上から４行目の分割領域）を抽出するのである。このように、指定操作ボタン６ａ〜６ｍを各分割領域と１対１に対応させて配置したため、ユーザは、極めて容易な直感的な操作を行うことができる。
【００２９】
他方、制御部３０が、表示部２に一覧表示されたブックマーク（ページ画像から切り取られた一部の領域）を選択する領域画像選択手段として機能する場合は、指定操作ボタン６ａ〜６ｍのうち操作された指定操作ボタン（６ａ〜６ｍ）に対応する分割領域に表示されたブックマークを選択することになる。
【００３０】
かかる構成により、ユーザは、適宜の文書ファイルを表示部２に表示しているときに指定操作ボタン６ａ〜６ｍを押し、押されたボタン（６ａ〜６ｍ）に対応する分割領域を、切り取るべき一部の領域、すなわちブックマーク情報として選択してメモリカード８に記憶することによってブックマークの登録を行うことができる。
【００３１】
そして、ブックマークを登録した後に閉じた文書ファイルを再び参照する場合は、後述するメニュー画面からブックマーク一覧を表示部２に表示させ、該当するブックマークを指定操作ボタン６ａ〜６ｍを用いて指定することにより選択すれば、該当する文書ファイルの該当ページが表示部２に表示されるのである。
【００３２】
このように、本情報表示装置１は簡便に用いることのできるブックマーク機能を有することから、ユーザは、文書ファイルが例えば複数ページの集合からなる場合でも、所望するページを極めて簡単な操作により素早く表示することが可能となる。
【００３３】
また、表示部２に表示したページ画像内の複数分割領域のそれぞれを抽出できるため、所望する箇所の文書の一部をブックマークとして用いることが可能となる。さらに、表示部２に表示したページ画像であれば、文書ファイル内の異なるページ画像であっても、それぞれ分割領域を抽出できるようになっている。したがって、ブックマークを選定する際の自由度が高くなり、所望する表示内容を複数のページ画像から選んでブックマークとすることができる。
【００３４】
また、ページ画像表示処理手段として機能する制御部３０は、表示部２に表示するページ画像のうち、抽出対象である分割領域を強調表示するようにしている。このように、強調表示することで、ブックマークとして選択した箇所やその内容の確認を容易に行える。
【００３５】
［２．情報表示装置１の具体的構成及び具体的動作］
ここで、図４〜図１０を参照しながら情報表示装置１の具体的構成及び具体的動作について説明する。
【００３６】
［２−１．情報表示装置１の具体的構成］
図４は情報表示装置１の電気的構成を示すブロック図であり、図示するように、情報表示装置１は、表示部２、ＬＥＤ３、操作部４（電源ボタン５ａ、メニューボタン５ｂ、ドキュメント閉じるボタン５ｃ、拡大ボタン５ｄ、ページ送りボタン５ｆ，５ｇ、決定ボタン５ｈ、指定操作ボタン６ａ〜６ｍ）、バッテリ７、メモリカード８、制御部３０が設けられている。
【００３７】
制御部３０は、ＣＰＵ１０、ＲＯＭ１１、及びＲＡＭ１２を備えるとともに、実質的なページ画像表示処理手段として機能する表示コントローラ１４と、充電コントローラ１５と、メモリカードＩ／Ｆ１６と、通信Ｉ／Ｆ１７とを備えている。
【００３８】
ＲＯＭ１１には、各種情報及び情報表示装置１を動作させるプログラムが記憶されており、ＣＰＵ１０は、このプログラムをＲＯＭ１１から読み出して実行することにより、各種の制御処理を実行する。すなわち、前述したページ画像表示処理手段、領域画像抽出手段、領域画像一覧表示部、領域画像選択手段として動作するとともに、情報表示装置１の全体の制御を司ることになる。
【００３９】
なお、プログラムをＲＯＭ１１に予め記憶させておくのではなく、メモリカードＩ／Ｆ１６を介して、メモリカード８などの記憶媒体からプログラムを取り出してＲＯＭ１１に記憶するようにしてもよい。ＲＯＭ１１としてはフラッシュＲＯＭを用いるとよく、フラッシュＲＯＭを用いることにより、文書ファイルのページ画像に関連付けられたブックマーク情報についても記憶し、これを書き換え、消去などを行うこともできる。
【００４０】
ＲＡＭ１２は各種のデータ（例えば、メモリカード８から読みだした文書ファイル）を一時的に記憶するメモリであり、ＣＰＵ１０による制御処理時に用いられる。
【００４１】
表示コントローラ１４は、表示部２への表示内容やＬＥＤ３への表示内容を制御する。この表示コントローラ１４には、当該表示部２を構成するＥＯＰの画素電極への電圧印加を行うＴＦＴを動作させるＦＰＧＡやＤＣ−ＤＣコンバータなどが備えられている。
【００４２】
また、情報表示装置１は、図示しない外部電源から電力供給を受けていない場合には、バッテリ７の電力で駆動される。バッテリ７又は外部電源からの電力供給経路は、ＣＰＵ１０に対するものと、ＲＯＭ１１、ＲＡＭ１２、表示コントローラ１４といった周辺装置に対するものとの２系統ある。そして、充電コントローラ１５は外部電源からバッテリ７への充電を制御する。
【００４３】
また、メモリカード８には、図示しないパーソナルコンピュータ（以下、「ＰＣ」とする）にインストールされた専用ソフトウェアなどによって、各種の情報が書き込まれており、メモリカードＩ／Ｆ１６は、メモリカード８から情報の読み取り、書き込みを制御する。ＣＰＵ１０は、メモリカードＩ／Ｆ１６を制御してメモリカード８から文書ファイルを読み取ることができる。
【００４４】
本実施形態では、メモリカード８には、各種のカテゴリーに属する複数の文書ファイルが予め記憶されているものとして説明する。なお、各文書ファイルは、ＰＣを利用してメモリカード８に記憶したり、インターネットから通信Ｉ／Ｆ１７を介してメモリカード８に記憶したりすることができる。
【００４５】
［２−２．情報表示装置１の具体的動作］
ここで、表示部２に表示していた文書ファイルを、ブックマークを付して格納する場合について、より具体的に説明する。
【００４６】
図５は文書ファイルの一例を示す説明図、図６及び図７はブックマーク登録手順の説明図、図８は登録されたブックマーク情報のデータ構造を示す説明図である。
【００４７】
図５に示すように、本実施形態では、表示部２に表示させている文書ファイルが、４ページからなる「操作マニュアル」であった場合について説明する。図５中、符号Ｐ１〜Ｐ４は、当該「操作マニュアル」の各ページ単位で表示されるページ画像を示しており、各ページ画像Ｐ１〜Ｐ４内には、見出し部１００、説明部２００、挿絵部３００などが掲載されている。
【００４８】
かかる「操作マニュアル」の中で、例えば３ページ目の見出し部１００のうち、「手順解説部」が最も大事な箇所であり、この箇所の記載内容を何度か読む必要があると考えられるとき、あるいは、この「操作マニュアル」を読んでいる途中で、例えば３ページ目の「手順解説部」の前までで読むのを中断し、このページにブックマークを付けて格納しようとする場合、ユーザは、先ず、表示されているページ画像の中からブックマークとすべき一部領域を決定する。
【００４９】
すなわち、この場合であれば、見出し部１００のうち、「手順解説部」をブックマークとして登録すると決めたため、図６（ａ）に示すように、この「手順解説部」が表示されている行部分からなる一部の領域（分割領域）に対応する指定操作ボタン６ｉを押す。こうして、領域画像抽出手段として機能する制御部３０は、操作された指定操作ボタン６ｉに対応し、「手順解説部」が表示されている分割領域、すなわち一部の領域をブックマークとして選択することになる。
【００５０】
このように、文書ファイルの一部である「手順解説部」が表示された画像をブックマークとして用いることが可能となり、特別にコメントなどをユーザがブックマーク用として別途書き込むような手間が不要で簡便であり、当然、キーボードなども不要となって構成的にもコンパクトとなる。また、ブックマークとして抽出した部分のみから所望する情報が得られる場合、元の文書ファイルを開かなくても済むというメリットがある。
【００５１】
本実施形態では、ページ画像表示処理手段として機能する表示コントローラ１４は、表示部２に表示するページ画像Ｐ３（図５参照）のうち、領域画像抽出手段の抽出対象である前記一部の領域を強調表示するようにしている。すなわち、指定操作ボタン６ｉが押されると、図６（ａ）に示すように、この指定操作ボタン６ｉに対応する行部分（一部領域）を強調表示する（図においては領域を点線で囲んで強調表示としている）。したがって、ブックマークとして所望する領域が選択されたか否かが明確に分かる。なお、強調表示の態様としては、選択された領域を点線で囲むのに代えて、例えば、赤枠表示したり、明暗反転表示するなどとしてもよく、その表示態様については何ら限定されない。
【００５２】
なお、ここで指定操作ボタン６ｉに対応する行部分（一部領域）とは、あくまでも表示部２の表示領域の縦サイズを指定操作ボタン６の数で除したサイズからなる領域であり、文書ファイルのページ画像内のテキスト（文書）に対応する行ではない。
【００５３】
強調表示により、所望する「手順解説部」が選択されていることを確認したユーザは、次に、図６（ｂ）に示すように決定ボタン５ｈを押す。この操作によって、「手順解説部」の選択が決定され、制御部３０により「操作マニュアル」を示す文書ファイルから該当領域（指定操作ボタン６ｉに対応する行部分（一部領域））が抽出される。また、決定ボタン５ｈが押下されると、表示部２には、図示するようなカテゴリー画面２ａが表示される。
【００５４】
カテゴリー画面は、ブックマークと関連付けられる該当文書ファイルのカテゴリーが示されている表示画面である。すなわち、ブックマークを多数登録した場合、後で所望するブックマークを探しにくくなる虞があるため、文書ファイルをカテゴリーで分類して階層的に管理することにより、ブックマークについても階層的に管理して検索しやすくしている。
【００５５】
ここでは、カテゴリーとして、図示するように、「マニュアル」、「ニュース」、「エンターテイメント」、「ファッション」、「仕事」、「その他」と６つに分類しており、それぞれに指定操作ボタン６が対応するようになっている。すなわち、「マニュアル」は指定操作ボタン６ａ、「ニュース」は指定操作ボタン６ｂ、「エンターテイメント」は指定操作ボタン６ｃ、「ファッション」は指定操作ボタン６ｄ、「仕事」は指定操作ボタン６ｅ、「その他」は指定操作ボタン６ｆに対応する。ここでは、「操作マニュアル」のカテゴリーは「マニュアル」となるため、ユーザは指定操作ボタン６ａを操作してカテゴリーを選択することになる。
【００５６】
また、表示部２において、上記各カテゴリーの下方位置には「キャンセル」が指定操作ボタン６ｉに対応して表示されており、指定操作ボタン６ｉを押下して「キャンセル」を選択すると、表示部２の画面は前段に戻り、図６（ａ）で示した「操作マニュアル」の３ページ目が表示されることになる。
【００５７】
指定操作ボタン６ａが操作されると、図７に示すように、表示部２に登録メッセージが表示される。ここでは、「カテゴリー：マニュアルとしてブックマークを登録しました」と表示される。また、この画面においても、「手順解説部」が表示されている一部領域（行部分）は強調表示されたままであり、ブックマークとして登録されたテキストや図柄などの確認が可能である。
【００５８】
こうして、「操作マニュアル」の３ページ目に掲載されている「手順解説部」の表記がブックマークとしてメモリカード８に記憶される。
【００５９】
ところで、ブックマークは、一つの文書ファイルに一つとは限らず、複数のブックマークを登録することができる。
【００６０】
すなわち、上述してきたように、「操作マニュアル」という文書ファイルの３ページ目における指定操作ボタン６ｉに対応する行部分（一部領域）に表示されている「手順解説部」をブックマークとして登録する他に、例えば、４ページ目の見出し部１００の「注意点」についても上述した手順と同じ手順によってブックマークとして登録することができる。
【００６１】
ところで、ブックマークとして登録された情報、すなわちブックマーク情報には、図８に示すような内容が含まれている。図８はブックマーク情報のデータ構造を示す説明図である。
【００６２】
図示するように、ブックマーク情報は所定の文書ファイルごとに設定されており、「サイズ」、「カテゴリー」、「文書アドレス」、「ページ番号」、及び「座標」によって規定される。
【００６３】
「カテゴリー」は、ブックマークを登録するときに設定する分類情報であり、「文書アドレス」は文書ファイルが記憶（保存）されているメモリカード８内のアドレスである。また、「サイズ」はブックマーク（栞）として抽出された分割領域のボリュームを示しており、１つの文書ドキュメントに対して複数の指定操作ボタン６が操作されてブックマークが登録されている場合、何行分の分割領域に相当するデータであるかを示している。例えば、サイズ２であれば、２つの指定操作ボタン６に対応する行部分に表示される画像のデータが記憶されている。
【００６４】
また、ブックマークの位置を特定するのが、ページ単位で表示されるページ画像の「ページ番号」と、そのページにおけるページ画像中の一部の領域（指定操作ボタン６ａ〜６ｍに対応する行部分）を示す「座標」である。
【００６５】
図８に示した例では、「カテゴリー」がマニュアルの文書ファイルと、「カテゴリー」がニュースの文書ファイルに対してブックマークがメモリカード８に登録されていることが分かる。
【００６６】
「カテゴリー」がマニュアルであり、「文書アドレス」E：\doc\howtouseit.docに格納されている第１の文書ファイルには、２つの分割領域分（２つの指定操作ボタン６に相当する行部分）に相当するブックマークが付されており（サイズ２）、第１のブックマークは「ページ番号１」と「座標１」とで規定され、第２のブックマークは「ページ番号２」と「座標２」とで規定されている。第１のブックマークは、３ページ目のページ画像の「座標」１２０から始まる１つの分割領域に表示されている部分であり、第２のブックマークは４ページ目のページ画像の「座標」４０から始まる１つの分割領域に表示されている部分である。一方、「カテゴリー」がニュースであり、「文書アドレス」E：\doc\news.docに格納されている第２の文書ファイルには１つのブックマークが付されている。
【００６７】
なお、本実施形態における「座標」は、表示部２の縦方向の位置を示すためのもので、その単位は、１つの指定操作ボタン６の高さ分の領域幅に相当する。すなわち、表示部２の縦方向の画素数を指定操作ボタン６の数（本実施形態では１３個）で除して求められ、例えば、表示領域の総画素数が、３２０×５２０（横×縦）ピクセルである場合、座標の単位は４０となる（５２０÷１３＝４０）。
【００６８】
したがって、図８の例において、「座標」１２０から開始される分割領域は、１２０〜１５９の範囲を有し、指定操作ボタン６ｄに対応する分割領域となる。つまり、第１の文書ファイルに付された第１のブックマークは、文書ファイルの３ページ目の指定操作ボタン６ｃに対応する分割領域に表示されている部分であり、第２のブックマークは、４０〜７９の範囲を有する分割領域、すなわち、文書ファイルの４ページ目の指定操作ボタン６ｂに対応する分割領域に表示されている部分ということが分かる。同じように、第２の文書ファイルのブックマークは、文書ファイルの２ページ目の指定操作ボタン６ｃに対応する分割領域に表示されている部分であることが分かる。
【００６９】
次に、ブックマークを付して格納した文書ファイルを参照する場合について、より具体的に説明する。
【００７０】
図９及び図１０は文書ファイル参照手順の説明図である。図９（ａ）に示すように、ユーザがメニューボタン５ｂを押下すると、表示部２にはメニュー画面２ｂが表示される。このメニュー画面２ｂには、メニュー項目である「ブックマーク」、「文書読込」及び「キャンセル」が表示される。
【００７１】
「ブックマーク」は登録されているブックマークを読み出すためのメニューであり、「文書読込」はメモリカード８に記憶されている文書ファイルを読み出すためのメニューであり、「キャンセル」はメニュー画面２ｂの項目を非表示とするためのメニューである。
【００７２】
ユーザは、ブックマークを付した文書ファイルを呼び出すことを目的としているため、先ず、「ブックマーク」を選択する必要がある。「ブックマーク」が表示されている分割領域は、指定操作ボタン６aが対応しているため、ユーザは指定操作ボタン６aを押下する。
【００７３】
指定操作ボタン６aが押下されると、図９（ｂ）に示すように、ブックマークのカテゴリー画面２ａが表示される。ブックマークのカテゴリー画面２ａには、予め登録されている「マニュアル」、「ニュース」、「エンターテイメント」、「ファッション」、「仕事」、「その他」の各カテゴリーが表示される。
【００７４】
また、「キャンセル」の表示もなされており、指定操作ボタン６ｉを押下してこの「キャンセル」を選択すると、図９（ａ）に示したメニュー画面２ｂに戻る。
【００７５】
ユーザが、前述した要領で「手順解説部」をブックマークとして登録した「操作マニュアル」（図６及び図７参照）を呼び出す場合であれば、指定操作ボタン６aを押下し、カテゴリーとしては「マニュアル」を選択する。
【００７６】
「マニュアル」を選択するために指定操作ボタン６aを押下すると、図１０（ａ）に示すように、表示部２にはブックマーク一覧２ｃが表示され、同時に複数のブックマークが一覧表示される。この例では、「マニュアル」のカテゴリーの中でこれまで登録された７つのブックマークＢＭ１〜ＢＭ７が一覧表示されている。
【００７７】
また、図１０（ａ）において、２ｄはページ表示部であり、「１／３」の表示は、全３ページのブックマーク一覧２ｃの第１ページ目であることを示している。このページに所望するブックマークが見つからない場合、ユーザはページ送りボタン５ｆを押下して次ページを表示させればよい。ブックマーク一覧２ｃの第２ページ目のページ表示部には、当然ながら「２／３」と表示される。
【００７８】
こうして、ユーザは、「マニュアル」のカテゴリー内のブックマーク一覧２ｃから所望するブックマークを指定操作ボタン６ａ〜６ｍを用いて指定するのであるが、ここでは、「手順解説部」に対応するブックマークＢＭ３に割り付けられた指定操作ボタン６ｄが押下されることになる。そして、指定操作ボタン６ｄが押下されると、図１０（ｂ）に示すように、「手順解説部」を示す画像を含むページ画像Ｐ３である３ページ（図５参照）が表示部２に表示される。
【００７９】
このとき、ページ画像表示処理手段として機能する表示コントローラ１４は、ブックマークに指定されて登録された「手順解説部」が表示されている分割領域について、例えば赤枠２ｆなどで強調表示する。なお、赤枠２ｆなどの強調表示は文書ファイルのデータとして書き込まれるものではなく、あくまでもこのときの画面表示でなされるものである。また、強調表示の態様は赤枠２ｆに限定されるものではなく、前述したように、点線で囲んだりする態様でもよい。
【００８０】
このように、ユーザは、メニュー画面２ｂから「ブックマーク」を選択し、次いで、ブックマークのカテゴリー画面２ａから「マニュアル」を選択すると、この「マニュアル」のカテゴリー内のブックマーク一覧２ｃが表示部２に表示されるため、ユーザはこの中から所望するブックマーク（「手順解説部」）を簡単に見つけ出すことができる。そして、指定操作ボタン６ａ〜６ｍを用いて指定して選択すれば、該当する文書ファイル（「操作マニュアル」）の該当ページ（３ページ）が表示部２に表示されるのである。
【００８１】
なお、表示部２のページ表示部２ｄの右側に表示された「キャンセル」を選択するために指定操作ボタン６ｍを押下すると、図９（ｂ）に示したブックマークのカテゴリー画面２ａに戻る。
【００８２】
以下、図１１〜図１６を参照して、情報表示装置１の制御部３０による処理について説明する。図１１はメイン制御処理の流れを示す説明図、図１２〜図１５はメイン制御処理のサブルーチンを示す説明図である。なお、ここでのメイン制御処理は、ユーザが電源ボタン５ａを操作したときに開始される処理である。また、図１６はその他の制御処理の流れを示す説明図である。
【００８３】
情報表示装置１のＣＰＵ１０は、メイン制御処理を開始すると、情報表示装置１の起動処理を行い、ＲＡＭ１２などを初期化するとともに、ＲＯＭ１１からプログラムを読み出して実行状態となり、上述したページ画像表示処理手段、領域画像抽出手段、領域画像一覧表示手段、及び領域画像選択手段としての機能を実行可能な状態となる。
【００８４】
そして、ＣＰＵ１０は、先ず、デフォルトで設定されたページ画像若しくは最後に表示していたページ画像を表示する（ステップＳ１０１）。
【００８５】
次に、ＣＰＵ１０は、行選択ボタンとして機能する指定操作ボタン６が押下されたか否かを判定する（ステップＳ１０２）。指定操作ボタン６が押下されたと判定すると処理をステップＳ１０３に移し、後述する行選択処理（図１２）を実行する。一方、指定操作ボタン６が押下されていないと判定した場合はページ送りボタン５ｆ，５ｇが押下されたか否かを判定する（ステップＳ１０４）。
【００８６】
このステップＳ１０４において、ＣＰＵ１０は、ページ送りボタン５ｆ，５ｇが押下されたと判定すると処理をステップＳ１０５に移し、後述するページ遷移処理（図１３）を実行する。一方、ページ送りボタン５ｆ，５ｇが押下されていないと判定すると、決定ボタン５ｈが押下されたか否かを判定する（ステップＳ１０６）。
【００８７】
このステップＳ１０６において、ＣＰＵ１０は、決定ボタン５ｈが押下されたと判定すると処理をステップＳ１０７に移し、後述するブックマークの登録処理（図１４）を実行する。一方、決定ボタン５ｈが押下されていないと判定すると、メニューボタン５ｂが押下されたか否かを判定する（ステップＳ１０８）。
【００８８】
このステップＳ１０８において、ＣＰＵ１０は、メニューボタン５ｂが押下されたと判定すると処理をステップＳ１０９に移してメニュー画面２ｂ（図９（ａ）参照）を表示する。一方、メニューボタン５ｂが押下されていないと判定すると、処理をステップＳ１０２に戻す。
【００８９】
ステップＳ１１０において、ＣＰＵ１０は、メニュー画面２ｂのメニュー項目の中から「ブックマーク」が選択されたか否かを判定する。
【００９０】
このステップＳ１１０において、ＣＰＵ１０は、「ブックマーク」が選択されたと判定すると処理をステップＳ１１１に移し、後述するブックマークの参照処理（図１５）を実行する。そして、ブックマークの参照処理の終了後に、ＣＰＵ１０は、メニュー画面２ｂが表示中であるかを判定し（ステップＳ１１２）、表示中と判定下場合はステップＳ１１０に処理を戻し、表示中でないと判定した場合は処理をステップＳ１０２に戻す。一方、ステップＳ１１０において、「ブックマーク」が選択されていないと判定すると、「文書読込」が選択されたか否かを判定する（ステップＳ１１３）。
【００９１】
ステップＳ１１３において、ＣＰＵ１０は、文書読込」が選択されていないと判定すると処理をステップＳ１１９に移し、「キャンセル」が選択されたか否かを判定する。そして、このステップＳ１１０で「キャンセル」が選択されていないと判定した場合は処理をステップＳ１１０に移す一方、「キャンセル」が選択されたと判定した場合は、図９（ａ）に示したメニュー画面２ｂのメニュー項目を非表示にし（ステップＳ１２０）、次いでステップＳ１０２に処理を戻す。
【００９２】
他方、ＣＰＵ１０は、ステップＳ１１３において、「文書読込」が選択されたと判定した場合、ステップＳ１１４において、外部記憶装置であるメモリカード８に記憶されている文書ファイルのリストを表示する（図示せず）。
【００９３】
次いで、ＣＰＵ１０は、文書ファイルが選択されたか否かを判定し（ステップＳ１１５）、選択されたと判定すると、選択された文書ファイルを表示部２に表示して（ステップＳ１１６）、処理をステップＳ１０２に戻す。
【００９４】
一方、ステップＳ１１５において、文書ファイルが選択されていないと判定した場合、ＣＰＵ１０は、「キャンセル」が選択されたか否かを判定し（ステップＳ１１７）、キャンセル」が選択されていないと判定した場合は処理をステップＳ１１５に移す一方、「キャンセル」が選択されたと判定した場合は、文書ファイルを非表示にし（ステップＳ１１８）、その後、処理をステップＳ１０２に戻す。
【００９５】
ここで、メイン処理のステップ１０３で実行される行選択処理について、図１２を参照して説明する。
【００９６】
図示するように、ＣＰＵ１０は、先ず、文書ファイルが表示中であるか否かを判定する（ステップＳ２０１）。そして、表示中でないと判定した場合はそのまま処理を終了してメイン処理のステップＳ１０２に戻る。一方、文書ファイルが表示中であると判定した場合、ＣＰＵ１０は、該当部、すなわち、押下された指定操作ボタン６に対応する分割領域が選択状態ではないか否かを判定する（ステップＳ２０２）。
【００９７】
そして、ＣＰＵ１０は、このステップＳ２０２で、分割領域（該当部）が選択状態にないと判定した場合はこれを選択状態にし（ステップＳ２０３）、分割領域（該当部）が選択状態となっている場合は、選択状態を解除して、行選択処理を終了してメイン処理のステップＳ１０２に戻る。すなわち、指定操作ボタン６は、押下する度に、選択状態と非選択状態とに切り替わることになる。
【００９８】
次に、メイン処理のステップ１０５で実行されるページ遷移処理について、図１３を参照して説明する。
【００９９】
図示するように、ＣＰＵ１０は、先ず、文書ファイルが表示中であるか否かを判定する（ステップＳ２１１）。そして、表示中でないと判定した場合はそのまま処理を終了してメイン処理のステップＳ１０２に戻る。一方、文書ファイルが表示中であると判定した場合、ＣＰＵ１０は、押下されたページ送りボタンがページ前送りボタン５ｇ（前ボタン）であるか否かを判定する（ステップＳ２１２）。
【０１００】
そして、ＣＰＵ１０は、このステップＳ２１２で、押下されたページ送りボタンがページ前送りボタン５ｇの場合は現在表示しているページの１ページ前を表示し（ステップＳ２１３）、押下されたページ送りボタンがページ前送りボタン５ｇではない場合は、ページ次送りボタン５ｆが押下されたと判定して、現在表示しているページの１ページ後を表示してページ遷移処理し、メイン処理のステップＳ１０２に戻る。
【０１０１】
次に、メイン処理のステップ１０７で実行されるブックマークの登録処理について、図１４を参照して説明する。
【０１０２】
このブックマークの登録処理は、本実施形態の要部をなす処理であり、メイン処理におけるステップＳ１０７で決定ボタン５ｈが押下されたと判定したときに開始される（図６（ｂ）参照）。
【０１０３】
ブックマークの登録処理を開始すると、ＣＰＵ１０は、先ず、表示部２の表示領域中において、少なくとも１つの分割領域が選択されているか否かを判定する（ステップＳ２２１）。
【０１０４】
１つの分割領域が選択されていると判定すると、ＣＰＵ１０は、ステップＳ２２２において、表示部２にカテゴリー画面２ａを表示し、予め登録されている「マニュアル」、「ニュース」、「エンターテイメント」、「ファッション」、「仕事」、「その他」の各カテゴリーを表示する（図６（ｂ）参照）。
【０１０５】
次いで、ＣＰＵ１０は、いずれかのカテゴリーが選択されたか否かを判定し（ステップＳ２２３）、いずれかのカテゴリーが選択されたと判定した場合は処理をステップＳ２２５へ、選択されていないと判定した場合は処理をステップＳ２２４へ移す。
【０１０６】
ステップＳ２２４では、「キャンセル」（図６（ｂ）参照）が選択されたか否かを判定し、選択されていないと判定すると処理をステップＳ２２３に戻す一方、「キャンセル」が選択されたと判定した場合は本ブックマークの登録処理を終了してメイン処理に戻す。
【０１０７】
また、ステップＳ２２３でカテゴリーが選択されたと判定した場合、ＣＰＵ１０は、ステップＳ２２５において、現在選択されている分割領域に表示されている画像（ページ画像の一部の領域の画像）のデータをブックマーク情報として外部記憶装置であるメモリカード８に記憶する。
【０１０８】
次いで、ＣＰＵ１０は、ブックマークの登録が完了した旨を表示部２に表示させ（図７参照）、その後本ブックマークの登録処理を終了してメイン処理に戻す。
【０１０９】
次に、メイン処理のステップ１１１で実行されるブックマークの参照処理について、図１５を参照して説明する。
【０１１０】
このブックマークの参照処理は、図９（ａ）で示したように、メニュー画面２ｂから「ブックマーク」が選択された後に開始されるもので、ＣＰＵ１０は、先ず、ステップＳ３００において、カテゴリー画面２ａを表示し、「マニュアル」、「ニュース」、「エンターテイメント」、「ファッション」、「仕事」、「その他」の各カテゴリーを表示する（図９（ｂ）参照）。
【０１１１】
次いで、ＣＰＵ１０は、カテゴリーが選択されたか否かを判定し（ステップＳ３０１）、いずれかのカテゴリーが選択されたと判定した場合は処理をステップＳ３０４へ、選択されていないと判定した場合は処理をステップＳ３０２へ移す。
【０１１２】
ステップＳ３０２では、「キャンセル」（図９（ｂ）参照）が選択されたか否かを判定し、選択されていないと判定すると処理をステップＳ３０１に戻す一方、「キャンセル」が選択されたと判定した場合は、図９（ａ）に示すメニュー画面２ｂを表示し（ステップＳ３０３）、その後、本ブックマークの参照処理を終了してメイン処理に戻す。
【０１１３】
また、ステップＳ３０１でカテゴリーが選択されたと判定した場合、ＣＰＵ１０は、ステップＳ３０４において、外部記憶装置であるメモリカード８から全てのブックマーク情報を取得する。
【０１１４】
次いで、ＣＰＵ１０は、ブックマーク情報をページ単位で表示できるように、全てのブックマークをページング分割する（ステップＳ３０５）。
【０１１５】
次いで、ＣＰＵ１０は、各ブックマークに対応する画像データを、文書ファイルから読み込み（ステップＳ３０６）、図１０（ａ）に示すように、ブックマーク一覧２ｃの１ページ目を表示する（ステップＳ３０７）。
【０１１６】
次いで、ＣＰＵ１０は、一覧表示されているブックマーク横に位置して当該ブックマークに対応する行選択ボタン（指定操作ボタン６）が押下されたか否かを判定する（ステップＳ３０８）。なお、このときの押下は短押し操作である。短押しされたと判定すると、ＣＰＵ１０は、選択されたブックマークに対応する文書ファイルの当該ブックマークとされた領域の画像を含むページを表示し（ステップＳ３２２）、本ブックマークの参照処理を終了してメイン処理に戻す。
【０１１７】
一方、ステップＳ３０８で、行選択ボタン（指定操作ボタン６）が短押しではないと判定した場合、ＣＰＵ１０は、行選択ボタン（指定操作ボタン６）が長押しされたか否かを判定する（ステップＳ３０９）。
【０１１８】
そして、長押しされていないと判定した場合、ＣＰＵ１０は、ページ送りボタン５ｆ，５ｇが押下されたか否かを判定する（ステップＳ３１０）。
【０１１９】
このステップＳ３１０において、ＣＰＵ１０は、ページ送りボタン５ｆ，５ｇが押下されたと判定すると処理をステップＳ３１１に移し、前述したページ遷移処理（図１３）を実行し、その後、処理をステップＳ３０８に戻す。一方、ページ送りボタン５ｆ，５ｇが押下されていないと判定すると、ＣＰＵ１０は、「キャンセル」が選択されたか否かを判定し（ステップＳ３１２）、選択されていないと判定すると処理をステップＳ３０８に戻す一方、「キャンセル」が選択されたと判定した場合は本ブブックマークの参照処理を終了してメイン処理に戻す。
【０１２０】
ステップＳ３０９において、ＣＰＵ１０は、行選択ボタン（指定操作ボタン６）が長押しされたと判定すると、図１６に示すように、ブックマーク詳細情報２ｇと操作メニュー２ｈを表示部２に表示する（ステップＳ３１３）。
【０１２１】
次いで、ＣＰＵ１０は、操作メニュー２ｈの中から「表示」が選択されたか否かを判定し（ステップＳ３１４）、「表示」が選択されたと判定した場合は処理をステップＳ３２２に移す。一方、「表示」が選択されていないと判定した場合、ＣＰＵ１０は、操作メニュー２ｈの中から「削除」が選択されたか否かを判定する（ステップＳ３１５）。
【０１２２】
このステップＳ３１５において、「削除」が選択されたと判定した場合、ＣＰＵ１０は処理をステップＳ３１６に移し、「削除」が選択されていないと判定した場合は、処理をステップＳ３２０に移す。
【０１２３】
ステップＳ３１６において、ＣＰＵ１０は、図１０（ａ）で示すように、一覧表示された複数のブックマークＢＭ１〜ＢＭ７の中で、指定操作ボタン６の長押し操作により選択されたブックマークの情報を、メモリカード８から削除する。次いで、ＣＰＵ１０は、削除したブックマークが除かれた全てのブックマーク情報を再度ページング分割する（ステップＳ３１７）。このページング分割処理は、ステップＳ３０５の処理と同様であり、ブックマーク情報をページ単位で表示できるように行われる。
【０１２４】
次いで、ＣＰＵ１０は、再度ページング分割処理された各ブックマークに対応する画像データを、文書ファイルから読み込み（ステップＳ３１８）、先のステップＳ３１１で行われたページ遷移処理で最後に表示されていたブックマーク一覧２ｃを表示し（ステップＳ３１９）、その後、処理をステップＳ３０８に戻す。
【０１２５】
ステップＳ３１５で、「削除」が選択されていないと判定した場合に実行されるステップＳ３２０では、ＣＰＵ１０は「キャンセル」が選択されたか否かを判定し、選択されていないと判定すると、処理をステップＳ３１４に戻す一方、「キャンセル」が選択されと判定すると、最後に表示されていたブックマーク一覧２ｃを表示し（ステップＳ３２１）、その後、処理をステップＳ３０８に戻す。
【０１２６】
こうして、本実施形態に係る情報表示装置１の制御部３０（ＣＰＵ１０）は、文書ファイルに応じた画像をページ単位で表示部２に表示するページ画像表示処理手段、このページ画像表示処理手段により表示部２にページ単位で表示したページ画像の一部の領域を前記文書ファイルから抽出する領域画像抽出手段、この領域画像抽出手段により抽出した各領域の画像を並べて表示部２に一覧表示する領域画像一覧表示手段、さらには表示部２に一覧表示した前記領域の画像の少なくとも一つを選択する領域画像選択手段として機能して、表示部２に表示されたページ画像の一部の領域をブックマークとして使用できようになっている。
【０１２７】
ここで、複数の分割領域からなるブックマークを登録する場合について、図１７及び図１８を参照して説明する。
【０１２８】
例えば、ブックマークとしては１つであるが、分割領域が複数に亘っている場合がある。すなわち、図１７に示すように、挿絵部３００をブックマークとして登録する場合、この挿絵部３００は、表示部２の表示領域中、４行分に相当する分割領域に跨った画像であるため、各行に対応する指定操作ボタン６、ここでは、指定操作ボタン６ｂ〜６ｅを押下し、複数行（複数の分割領域）に亘って選択し、その後、決定ボタン５ｈを押下すればよい。
【０１２９】
また、同じページ内でありながら、互いに離れた領域部分をブックマークとして登録したい場合がある。すなわち、図１８（ａ）に示すように、表示部２のやや上部に表示されている挿絵部３００と、この挿絵部３００とは離れて位置しており、表示部２の中央下部に表示されている見出し部１００の「手順解説部」をブックマークとして登録する場合、図１７で説明したときと同様に、挿絵部３００に対応する指定操作ボタン６と、見出し部１００（「手順解説部」）に対応する指定操作ボタン６とを順次押下して、その後、決定ボタン５ｈを押下すればよい。すなわち、この場合であれば、指定操作ボタン６ｂ〜６ｅと、さらに指定操作ボタン６ｉを押下して、その後、決定ボタン５ｈを押下することになる。
【０１３０】
こうして、ブックマークが登録されると、図７で示したように、ブックマークとして登録された画像とともに、表示部２に登録メッセージが表示される。
【０１３１】
なお、図１８（ａ）のように、１つのブックマークでありながら、それが離れた領域部分の画像から形成されている場合は、図１８（ｂ）に示すように、挿絵部３００と見出し部１００（「手順解説部」）とが上下に並置された状態で登録済みブックマーク２ｊとして表示されるが、挿絵部３００と見出し部１００（「手順解説部」）との間には、区画線２ｅが表示される。
【０１３２】
この区画線２ｅは、一つのブックマークではあるが、複数の分割領域から形成されており、しかも、分割領域が連続していない部分に表示される。したがって、図１８（ｂ）のように表示された登録済みブックマーク２ｊを見れば、挿絵部分と「手順解説部」のテキスト部分とは、これらが含まれる基のページ画像内では連続していないことが分かる。
【０１３３】
このような区画線２ｅは、ブックマーク一覧２ｃにも表示される。すなわち、図１０（ａ）に示したブックマーク一覧２ｃにおいて、ブックマークＢＭ１，ＢＭ３，ＢＭ５，ＢＭ６はサイズ１であり、表示部２における１行分の分割領域の画像から形成されている。
【０１３４】
他方、ブックマークＢＭ２とブックマークＢＭ７はサイズ２であり、それぞれ表示部２における２行分の分割領域の画像から形成されているが、ブックマークＢＭ７には区画線２ｅが表示されている。つまり、ブックマークＢＭ７の２段で表示されるテキストを示す画像は、これらが含まれる基のページ画像では連続していないことが分かる。他方、区画線２ｅが表示されていないブックマークＢＭ２の２段のテキスト画像は、基のページ画像でも２段に連続していることが分かる。
【０１３５】
また、図１０（ａ）におけるブックマークＢＭ４は、基のページ画像では互いに連続していない３行分の分割領域の画像と、１行分の分割領域の画像とから形成されていることが分かる。
【０１３６】
このように、制御部３０が領域画像一覧表示手段として機能する場合、ページ画像の一部の領域の画像が複数選択された場合、これが分割領域として連続している場合でも、間があいた不連続の場合でも、一覧表示する際には一塊の領域にまとめて表示するようにしている。
【０１３７】
上述してきた実施形態に係る情報表示装置１によれば、以下の効果が期待できる。
【０１３８】
（１）文書ファイル（データファイル）に応じた画像をページ単位で表示部２に表示する制御部３０（ページ画像表示処理手段）を備えた情報表示装置において、制御部３０は、前記ページ画像表示処理手段として機能して表示部２にページ単位で表示したページ画像の分割領域（一部の領域）を、前記文書ファイル（データファイル）から抽出する領域画像抽出手段、この領域画像抽出手段により抽出した各領域の画像を並べて表示部２に一覧表示する領域画像一覧表示手段、表示部２に一覧表示した前記領域の画像の少なくとも一つを選択する領域画像選択手段、としても機能し、さらに、制御部３０は、前記ページ画像表示処理手段として機能する場合、前記領域画像選択手段として選択した領域の画像を含むページ画像を表示部２に表示することとしている。したがって、簡便に用いることのできるブックマーク機能を有することとなり、ユーザは、文書ファイルが例えば複数ページの集合からなる場合でも、所望するページを極めて簡単な操作により素早く表示することが可能となる。しかも、ブックマークが実際の文書の一部なので、そのブックマークが所望する文書ファイルのブックマークであるか否かの判断を即座に行える。
【０１３９】
（２）表示部２に表示したページ画像内の複数領域のそれぞれを前記分割領域（一部の領域）として抽出可能としたため、所望する箇所の文書の一部をブックマークとして用いることが可能となり、特別にコメントなどをユーザがブックマーク用に書き込むような手間が不要で簡便となり、当然、キーボードなども不要となり構成的にもコンパクトとなる。また、ブックマークとして抽出した部分のみから所望する情報が得られる場合、元の文書ファイルを開かなくても済むというメリットがある。
【０１４０】
（３）前記領域画像抽出手段として機能する制御部３０は、表示部２に表示したページ画像であって前記文書ファイル（データファイル）内の異なるページ画像でそれぞれ前記一部の領域を抽出可能としたため、ブックマーク選定の自由度が高く、所望する表示内容をブックマークとすることができる。
【０１４１】
（４）制御部３０は、ページ画像表示処理手段として機能するとき、表示部２に表示するページ画像のうち抽出対象である分割領域（一部の領域）を強調表示することとしたため、ブックマークとして選択した箇所やその内容の確認を容易に行うことができる。
【０１４２】
（５）一部の領域を指定する複数の指定操作ボタン６ａ〜６ｍを、表示部２の表示領域を複数の領域に分割して形成される複数の分割領域のそれぞれに対応させて設け、制御部３０は、領域画像抽出手段として機能する場合、複数の指定操作ボタン６ａ〜６ｍのうち操作された指定操作ボタン６ａ〜６ｍに対応する分割領域を前記一部の領域として抽出し、領域画像選択手段として機能する場合は、複数の指定操作ボタン６ａ〜６ｍのうち操作された指定操作ボタン６ａ〜６ｍに対応する分割領域を前記一部の領域として選択することとしたため、ユーザは極めて容易な直感的な操作が可能となる。
【０１４３】
以上、本発明の実施形態のいくつかを図面に基づいて詳細に説明したが、これらは例示であり、当業者の知識に基づいて種々の変形、改良を施した他の形態で本発明を実施することが可能である。
【０１４４】
例えば、表示部のサイズや、表示領域をいくつに分割するかなどは適宜設計変更することができる。また、着脱可能なメモリカード８にドキュメントファイルなどのデータやブックマークのデータなどを格納した例としたが、情報表示装置１内に十分な容量の不揮発性メモリを搭載し、この不揮発性メモリにドキュメントファイルやブックマークのデータを記憶するようにしてもよい。
【符号の説明】
【０１４５】
１    表示装置
２    表示部
４    操作部
６    指定操作ボタン
８    メモリカード
３０    制御部
【図１】
2010224927.tif 000003
【図２】
2010224927.tif 000004
【図３】
2010224927.tif 000005
【図４】
2010224927.tif 000006
【図５】
2010224927.tif 000007
【図６】
2010224927.tif 000008
【図７】
2010224927.tif 000009
【図８】
2010224927.tif 000010
【図９】
2010224927.tif 000011
【図１０】
2010224927.tif 000012
【図１１】
2010224927.tif 000013
【図１２】
2010224927.tif 000014
【図１３】
2010224927.tif 000015
【図１４】
2010224927.tif 000016
【図１５】
2010224927.tif 000017
【図１６】
2010224927.tif 000018
【図１７】
2010224927.tif 000019
【図１８】
2010224927.tif 000020